(57)【特許請求の範囲】
【請求項１】
ストライカが設けられた蓋物部材を車体に組み付けるための組付治具であって、
車幅方向に離隔した２箇所に設けられた車体の穴に挿入して係止され、車幅方向間隔を調整可能な一対の係止部と、一対の係止部の車幅方向中央部を設定するセンタリング機構と、前記車幅方向中央部を基準とした車幅方向所定位置に設けられた一対の支持片を有し、一対の支持片の間にストライカを配することにより、ストライカの車幅方向の移動を規制して前記車幅方向所定位置にストライカを位置決めするストライカ位置決め部と、ストライカ位置決め部と同じ車幅方向位置に設けられ、該車幅方向位置にストライカをロックするロック部材を位置決めするロック位置決め部と、蓋物部材の下端部が載置される載置部とを備え、
一対の係止部を車体に係止した状態で、立設させた蓋物部材の下端部を前記載置部の上に載置し、この状態で蓋物部材の上端部を前方に倒し、蓋物部材のストライカをストライカ位置決め部の一対の支持片の間に挿入することにより、蓋物部材を車体に対して位置決め可能な組付治具。
【発明の詳細な説明】
【技術分野】
【０００１】
本発明は、バックドアやフード等の蓋物部材を車体に組み付けるための組付治具及び組付方法に関する。
【背景技術】
【０００２】
バックドアやフード等の蓋物部材は、車体の開口部にヒンジ等を介して開閉可能に取り付けられる。蓋物部材の車体への組付時に、蓋物部材が車体に対して精度良く位置決めされていないと、蓋物部材と車体との境界に形成される隙間が不均一となり、見た目が悪くなる。特に、蓋物部材と車体との車幅方向の位置決め精度が低いと、蓋物部材と車体との境界に形成される隙間が左右で非対称となるため、非常に目だってしまう。
【０００３】
蓋物部材の実際の組付工程では、変形や組付誤差により車体に寸法公差が生じるため、車体ごとに蓋物部材を位置決めする必要がある。例えば特許文献１には、実際の車体の車幅方向中央位置を位置決め基準とする組付治具が示されている。
【先行技術文献】
【特許文献】
【０００４】
【特許文献１】特開２００４−２７６２０２号公報
【発明の概要】
【発明が解決しようとする課題】
【０００５】
しかし、上記特許文献１に示されている組付治具を用いて蓋物部材と車体との車幅方向中心を合わせても、組付不良となる場合がある。例えば、蓋物部材にストライカが設けられると共に、ストライカと係合して蓋物部材をロックするロック部材が車体に設けられる場合、蓋物部材に設けられたストライカと車体に設けられたロック部材との位置がずれると、ストライカをロック部材に装着できず組付不良となる。
【０００６】
例えば、蓋物部材が板金製である場合、蓋物部材を車体に組み付けた状態でストライカとロック部材との位置が多少ずれていても、板金製の蓋物部材を塑性変形させることでストライカの位置を微調整することができる。しかし、ガラスハッチや樹脂製フードのように塑性変形させにくい材料で蓋物部材を形成する場合、塑性変形によるストライカの位置の微調整ができない。このため、ガラスハッチ等を車体に組み付ける際には、両者の中央位置だけでなく、ストライカとロック部材との位置合わせを行った状態で組み付ける必要がある。もちろん、板金製の蓋物部材を組み付ける場合でも、ストライカとロック部材との位置合わせを行った状態で精度良く組み付けることができれば、塑性変形による微調整を省略することができ、生産性が高められる。
【０００７】
しかし、上記特許文献１に示されているような組付治具を用いて蓋物部材と車体との車幅方向中央位置を合わせながら、さらにストライカとロック部材との位置合わせを行う作業は容易ではなく、組付作業性の低下は避けられない。
【０００８】
本発明が解決すべき課題は、ストライカを有する蓋物部材を、簡単に車体に組み付けることができる組付治具及び組付方法を提供することにある。
【課題を解決するための手段】
【０００９】
前記課題を解決するためになされた本発明は、ストライカが設けられた蓋物部材を車体に組み付けるための組付治具であって、車幅方向に離隔した２箇所に設けられた車体の穴に挿入して係止され、車幅方向間隔を調整可能な一対の係止部と、一対の係止部の車幅方向中央部を設定するセンタリング機構と、前記車幅方向中央部を基準とした車幅方向所定位置に設けられた一対の支持片を有し、一対の支持片の間にストライカを配することにより、ストライカの車幅方向の移動を規制して前記車幅方向所定位置にストライカを位置決めするストライカ位置決め部と、ストライカ位置決め部と同じ車幅方向位置に設けられ、該車幅方向位置にストライカをロックするロック部材を位置決めするロック位置決め部と、蓋物部材の下端部が載置される載置部とを備え、一対の係止部を車体に係止した状態で、立設させた蓋物部材の下端部を前記載置部の上に載置し、この状態で蓋物部材の上端部を前方に倒し、蓋物部材のストライカをストライカ位置決め部の一対の支持片の間に挿入することにより、蓋物部材を車体に対して位置決め可能なものである。
【００１０】
このように、一対の係止部が車幅方向間隔を調整可能であるため、実際の車体に合わせて一対の係止部を車体の所定箇所に係止させることができる。そして、この一対の係止部の車幅方向中央部を基準とした車幅方向所定位置にストライカ位置決め部を設け、このストライカ位置決め部に蓋物部材のストライカを装着することにより、蓋物部材を車体に対して車幅方向で位置決めすることができる。例えば、ストライカが蓋物部材の車幅方向中央部に設けられる場合、ストライカ位置決め部は一対の係止部の車幅方向中央部に設ければ良い。また、ストライカが蓋物部材の車幅方向中央部からオフセットした位置に設けられる場合、ストライカ位置決め部は一対の係止部の車幅方向中央部からストライカと等量だけオフセットさせた位置に設ければよい。
【００１１】
また、上記の組付治具には、ロック位置決め部がストライカ位置決め部と同じ車幅方向位置に設けられているため、ストライカ位置決め部に装着されたストライカの幅方向位置と、ロック位置決め部に装着されたロック部材の幅方向位置とを合わせることができる。すなわち、上記の組付治具によれば、ストライカをストライカ位置決め部に装着するだけで、蓋物部材を車体に対して車幅方向で位置決めすると同時に、ストライカ及びロック部材の車幅方向位置を合わせることができる。
【００１２】
以上より、本発明は、ストライカが設けられた蓋物部材を車体に組み付けるための方法であって、車体の車幅方向中央部を設定する工程と、車幅方向中央部を基準とした車幅方向所定位置にストライカ及びストライカをロックするロック部材を位置決めする工程と、ストライカ及びロック部材を車幅方向で位置決めした状態で、蓋物部材及びロック部材を車体に取り付ける工程とを有する蓋物部材の組付方法として特徴づけることもできる。
【発明の効果】
【００１３】
上記のように、本発明の組付治具及び組付方法によれば、ストライカをストライカ位置決め部に装着するだけで、蓋物部材の車体に対する位置決めと、ストライカのロック部材に対する位置決めとを同時に完了させることができる。これにより、蓋物部材の車体への組付作業性が向上し、車両の生産性が高められる。
【図面の簡単な説明】
【００１４】
【図１】車体後部の正面図である。
【図２ａ】本発明の実施形態に係る組付治具の平面図である。
【図２ｂ】上記組付治具の正面図である。
【図２ｃ】上記組付治具の図２（ｂ）のＡ−Ａ線における断面図である。
【図２ｄ】上記組付治具の図２（ｂ）のＢ方向から見た側面図である。
【図３ａ】車体後部に上記組付治具を装着した状態を示す正面図である。
【図３ｂ】図３（ａ）の状態の平面図である。
【図３ｃ】図３（ａ）の状態の車幅方向と直交する方向における断面図である。
【図４】ガラスハッチを車体に取り付ける工程を示す断面図である。
【図５】ガラスハッチを車体に取り付ける工程を示す断面図である。
【発明を実施するための形態】
【００１５】
以下、本発明の実施形態を図面に基づいて説明する。
【００１６】
本実施形態では、図１に示すように、車体１の後部の開口部３に、蓋物部材としてのガラスハッチ４を組み付ける場合について説明する。車体１の開口部３の上端部にはヒンジ５が設けられ、このヒンジ５にガラスハッチ４の上端部が取り付けられる。ガラスハッチ４にはストライカ７が設けられ、本実施形態ではガラスハッチ４の下端部の車幅方向中央部にストライカ７が設けられる。ストライカ７は、金属棒を略コの字状に曲げ加工して形成され、板金等に溶接固定された状態でガラスハッチ４の前面に固定される（図４参照）。このストライカ７と係合してガラスハッチ４をロックするロック部材８が、車体１の開口部３の下端部に取り付けられる（図１に鎖線で示す）。開口部３の車幅方向両側のサイドメンバーには、リアコンビランプ９（図１に鎖線で示す）を車体１に取り付けるための取付穴９ａが設けられる。
【００１７】
図２に示す組付治具１００は、図１に示す車体１の開口部３にガラスハッチ４及びロック部材８を組み付けるためのものである。組付治具１００は、車幅方向に延びた長尺状の本体部１０と、一対の係止部２０，２０と、ストライカ位置決め部３０と、ロック位置決め部４０と、ガラスハッチ載置部５０と、支持部６０と、センタリング機構７０とを備える。
【００１８】
一対の係止部２０，２０は、車幅方向に離隔した２箇所で車体１に係止されるものである。一対の係止部２０，２０は、図２（ａ）に示すように本体部１０の車幅方向両端部にそれぞれ設けられる。係止部２０は、基部２１と、基部２１から前方に突出した突出部２２とを有する。一対の係止部２０，２０は、車幅方向間隔を調整可能に設けられる。本実施形態では、各係止部２０が本体部１０に対して車幅方向移動可能に取り付けられる。具体的には、図２（ｄ）に示すように、係止部２０の基部２１に設けられたガイド２３と、本体部１０の上面に設けられた直線状のレール１１とが、車幅方向で摺動可能に嵌合している。突出部２２，２２は、車体１の車幅方向対称な２箇所に係止可能とされ、本実施形態では、車体１の開口部３の下端部付近に設けられた穴、具体的にはリアコンビランプ９の取付穴９ａ（図１参照）に嵌合して係止される。
【００１９】
センタリング機構７０は、一対の係止部２０，２０の車幅方向中央部Ｐを設定するためのものである。本実施形態のセンタリング機構７０は、図２（ａ）及び（ｂ）に示すように、一対の第１リンク７１，７１、一対の第２リンク７２，７２、及び第３リンク７３とで構成される。一対の第１リンク７１，７１は、それぞれ一対の係止部２０の基部２１に固定され、基部２１から車幅方向内側に延びている。第１リンク７１は、基部２１と共に本体部１０に沿って車幅方向にスライド可能に支持される。一対の第２リンク７２，７２は、それぞれ一対の第１リンク７１，７１の車幅方向内側端部に回転可能に取り付けられる。第３リンク７３は、その両端部がそれぞれ一対の第２リンク７２，７２の車幅方向内側端部に回転可能に取り付けられる。第３リンク７３の長手方向中央部は、ベアリング７４を介して本体部１０の車幅方向中央部に回転可能に取り付けられる。
【００２０】
例えば、一方の係止部２０が車幅方向内側にスライドすると、第１リンク７１、第２リンク７２、及び第３リンク７３を介して他方の係止部２０も車幅方向内側に等量だけスライドする。これにより、一対の係止部２０の車幅方向間隔を変更した場合でも、一対の係止部２０の車幅方向中央部Ｐは常に本体部１０の車幅方向中央部（すなわち第３リンク７３の回転中心７４ａ）と一致する。
【００２１】
ストライカ位置決め部３０は、ガラスハッチ４に設けられたストライカ７を車幅方向で位置決めするものである。ストライカ位置決め部３０は、一対の係止部２０の車幅方向中央部Ｐを基準とした所定位置に配置され、本実施形態では、ストライカ位置決め部３０が車幅方向中央部Ｐ（すなわち本体部１０の車幅方向中央部）に設けられる。ストライカ位置決め部３０は、例えば図２（ａ）及び（ｂ）に示すように、車幅方向に対向した一対の支持片３１，３１と、一対の支持片３１，３１の車幅方向内側に設けられた樹脂製のパッド３２，３２とを有する。パッド３２，３２の間にストライカ７を配することで、ストライカ７の車幅方向両方向への移動を規制し、ストライカ７及びガラスハッチ４を車幅方向に位置決めすることができる。このため、パッド３２，３２の車幅方向隙間は、ストライカ７を形成する金属棒の直径とほぼ同じであることが好ましく、例えばストライカ７の金属棒の直径より僅かに広く設定される。あるいは、パッド３２，３２の間にストライカ７が軽圧入されるようにしてもよい。
【００２２】
ロック位置決め部４０は、ロック部材８を車体１に対して車幅方向で位置決めするためのものである。ロック位置決め部４０は、ストライカ位置決め部３０と同じ車幅方向位置に設けられ、本実施形態では一対の係止部２０，２０の車幅方向中央部Ｐ（すなわち本体部１０の車幅方向中央部）に設けられる。ロック位置決め部４０は、例えば図２（ａ）及び（ｂ）に示すように、車幅方向に対向した一対の支持片４１，４１を有する。各支持片４１は、図２（ｃ）に示すように、本体部１０に固定され、本体部１０から下方に延びた垂直部４１ａと、垂直部４１ａの下端部から前方（図２（ｃ）の右側）に延びた水平部４１ｂとを有する。一対の支持片４１，４１の水平部４１ｂの車幅方向間隔は、ロック部材８の車幅方向寸法とほぼ同じに設定され、例えばロック部材８の車幅方向寸法より僅かに広く設定される。水平部４１ｂ，４１ｂの間にロック部材８を配することで、ロック部材８の車幅方向両方向への移動を規制し、ロック部材８を車体１に対して車幅方向で位置決めすることができる。
【００２３】
ガラスハッチ載置部５０は、ガラスハッチ４の車体１に対する組付時に、ガラスハッチ４の下端部を載置するためのものである。ガラスハッチ載置部５０は、例えば図２（ａ）に示すように、本体部１０から後方に延びた支持板５１と、支持板５１の上面に設けられた支持部材５２とを有する。支持部材５２は例えば樹脂で形成される。支持部材５２の前後方向中間部には、溝部５３が形成される。溝部５３は、ガラスハッチ４の下端部と係合して前後方向で位置決めできる程度の深さで、なるべく浅く形成される。本実施形態では、溝部５３が車幅方向側面視でＶ字形状を成し（図２（ｃ）参照）、２ｍｍ程度の深さに設定される。
【００２４】
支持部６０は、長尺状の組付治具１００の車幅方向中間部を支持するためのものである。本実施形態では、図２（ａ）に示すように、本体部１０の車幅方向中央部Ｐに関して車幅方向で対称な位置に一対の支持部６０が固定される。各支持部６０は、図２（ｃ）に示すように、本体部１０の下面に固定され、下方に延びる柱部６１と、柱部６１の下端部から前方（図２（ｃ）の右側）に延びる水平部６２とを有する。
【００２５】
次に、上記の組付治具１００を用いて、ガラスハッチ４及びロック部材８を車体１に組み付ける方法を説明する。
【００２６】
まず、組付治具１００を車体１に取り付ける。具体的には、図３に示すように、支持部６０を車体１の開口部３の下端部に載置すると共に、係止部２０の突出部２２を車体１のコンビランプの取付穴９ａに挿入して係止させる。このとき、車体１の取付穴９ａの車幅方向間隔に合わせて一対の係止部２０，２０の車幅方向間隔が調整され、センタリング機構７０（図３では省略）により一対の係止部２０の車幅方向中央部Ｐが設定される。これにより、一対の係止部２０，２０の車幅方向中央部Ｐと、車体１の車幅方向中央部（具体的には、車体１の取付穴９ａの車幅方向中央部）とが一致する。この車幅方向中央部Ｐを基準とした所定位置にストライカ位置決め部３０及びロック位置決め部４０が配置され、図示例では、車幅方向中央部Ｐ上に両者が配置される。
【００２７】
次に、ロック位置決め部４０の支持片４１，４１の間にロック部材８を配置する。これにより、ロック部材８が、車体１の車幅方向中央部に位置決めされる（図３（ａ）及び（ｂ）の鎖線参照）。こうして位置決めされたロック部材８を、車体１の開口部３の下端部に固定する。
【００２８】
そして、図４に示すように、ガラスハッチ載置部５０の上にガラスハッチ４の下端部を載置する。これにより、ガラスハッチ４が車体１に対して上下方向で位置決めされる。また、ガラスハッチ４の下端部は、ガラスハッチ載置部５０の支持部材５２に形成された溝部５３（図２参照）に嵌め込まれる。これにより、ガラスハッチ４の下端部が前後方向で位置決めされる。また、ガラスハッチ４の車体１に対する幅方向位置は、ストライカ７とストライカ位置決め部３０との幅方向位置が一致するように調整される。
【００２９】
この状態で、図５に示すように、ガラスハッチ４の上端部を前方に倒す。このとき、ガラスハッチ４の下端部が支持部材５２の溝部５３により前後方向で位置決めされているため、ガラスハッチ４の下端部を中心として安定した状態でガラスハッチ４を傾倒させることができる。こうしてガラスハッチ４を前方に倒すことにより、ストライカ７がストライカ位置決め部３０のパッド３２，３２（図２参照）の間に挿入され、ストライカ７及びガラスハッチ４が車体１の車幅方向中央部に位置決めされる。そして、さらにガラスハッチ４を傾倒させると、ガラスハッチ４の上端部がヒンジ５に当接する。この状態で、ガラスハッチ４とヒンジ５とを固定し、ガラスハッチ４が車体１へ組み付けられる。
【００３０】
その後、ガラスハッチ４を開いて、ガラスハッチ４を組付治具１００のガラスハッチ載置部５０から離反させる。このとき、上述のようにガラスハッチ４の下端部と係合する支持部材５２の材質や溝部５３の形状及び溝深さが適宜設定されているため、ガラスハッチ４を支障なく開くことができる。ガラスハッチ３を開いた後、組付治具１００を車体１から取り外し、組付作業が完了する。
【００３１】
以上のように、本発明の組付治具１００を用いた組付方法によれば、ストライカ７をストライカ位置決め部３０に装着するだけで、ガラスハッチ４を車体１の車幅方向中央部Ｐに位置決めできると同時に、ストライカ７及びロック部材８の車幅方向位置を合わせることができる。これにより、ガラスハッチ４を車体１に組み付けた後に、ガラスハッチ４を塑性変形させてストライカ７の位置を微調整する必要がないため、本実施形態のようなガラス製の蓋物部材や、樹脂製の蓋物部材など、塑性変形による微調整ができないものに好適に適用できる。
【００３２】
ところで、ガラスハッチ４を完全に閉じてストライカ７とロック部材８とがロックしてしまうと、その後の工程でガラスハッチ４を開ける必要があるときに、ストライカ７とロック部材８とのロックを解除する手間が生じる。また、ガラスハッチ４の開き角度が小さすぎると、ガラスハッチ４をヒンジ５に当接させたときに開口部３に設けられたウェザーストリップ（図示省略）に当接する恐れがある。この場合、ウェザーストリップの弾性力によりガラスハッチ４の位置が不安定となり、ガラスハッチ４の位置決め精度が低下する。一方、ガラスハッチ４を開きすぎると（すなわち水平に近づけると）、ガラスハッチ４をガラスハッチ載置部５０に載置することが困難となる上、ストライカ７とロック部材８とが離れすぎてこれらを精度良く位置決めすることが困難となる。以上の理由から、ガラスハッチ４は、車体１の開口部３を完全に閉じた状態ではなく、図５に示すように少し開いた状態で位置決め及び取り付けを行うことが好ましい。具体的には、ガラスハッチ４を完全に閉じた状態から、５〜１０°程度開けておくことが好ましい。
【００３３】
例えば、組付治具１００を車体１の開口部３の下端部付近に設けることで、ガラスハッチ４の開き角度を小さくすることができる。例えば、本実施形態のように、リアコンビランプの取付穴９ａを利用することで、組付治具１００を車体１の開口部３の下端部付近に設けることができると共に、リアコンビランプと同等の高さでガラスハッチ４の車幅方向位置決めができるため、特に目立ち易い両者の境界部の隙間を均一化することができる。もちろん、リアコンビランプの取付穴９ａ以外でも、車体１の車幅方向対称な２箇所であれば、利用可能である。但し、車体１の車幅方向中央部を正確に設定するために、なるべく離隔した２箇所であることが好ましく、例えばサイドメンバーに形成された穴を利用することが好ましい。
【００３４】
尚、ガラスハッチ４は、車体１の塗装工程の乾燥時のような高温環境には適さないため、塗装工程後の組立工程において車体１に組み付ける必要がある。この場合、車体１に生じる歪、例えば塗装工程の乾燥の熱による歪や、他部品（インパネ等）の組付による歪を考慮した状態でガラスハッチ４が取り付けられるため、ガラスハッチ４の組付精度がさらに高められる。
【００３５】
本発明は、上記の実施形態に限られない。例えば、上記の実施形態では、一対の係止部２０の車幅方向中央部にストライカ位置決め部３０を設けた場合を示しているが、これに限られない。例えば、ストライカ７が蓋物部材（ガラスハッチ４）の車幅方向中央部から所定量だけ車幅方向にオフセットして設けられる場合、ストライカ位置決め部３０も同様に、一対の係止部２０の車幅方向中央部に対して等量だけオフセットして設ければよい。この場合、ロック位置決め部４０も同様に、一対の係止部２０の車幅方向中央部に対して等量だけオフセットした位置に設けられる。
【００３６】
また、上記の実施形態では、ガラスハッチ４をガラスハッチ載置部５０に載置した状態でストライカ７をストライカ位置決め部３０に装着しているが、ストライカ７を位置決めする手順はこれに限られない。例えば、ガラスハッチ４の上端部を位置調整可能な状態でヒンジ５に仮止めしてから、ストライカ７をストライカ位置決め部３０に装着してもよい。
【００３７】
また、上記の実施形態では、ロック位置決め部４０でロック部材８を車幅方向にのみ位置決めしているが、これに限らず、例えばロック部材８を車幅方向及び前後方向に位置決めする構成としてもよい。具体的には、例えば、ロック位置決め部４０に、上記の支持片４１，４１に加えて、ロック部材８を前後からクランプして所定位置で位置決めするクランプ装置（図示省略）を設けても良い。
【００３８】
また、上記の実施形態では、蓋物部材がガラスハッチである場合を示したが、これに限らず、例えば蓋物部材が車体の前部の開口部に組み付けられるフードである場合でも、本発明を適用可能である。この場合、一対の係止部２０，２０が係止される穴は、例えば、フロントカウルの取付穴を利用することができる。
【００３９】
また、本発明の組付治具１００及びこれを用いた組付方法は、上述のようにガラス製や樹脂製の蓋物部材の組付に好適に適用されるが、もちろん、板金製の蓋物部材に適用することも可能である。板金製の蓋物部材であれば、塗装工程の乾燥時の熱にも耐え得るため、塗装工程よりも前の工程で蓋物部材を車体１に組み付けることもできる。この場合、その後の塗装工程や組立工程で車体に生じる歪を予め考慮して、蓋物部材の取付位置を設定することが好ましい。
【符号の説明】
【００４０】
１     車体
３     開口部
４     ガラスハッチ
５     ヒンジ
７     ストライカ
８     ロック部材
９     リアコンビランプ
９ａ   取付穴
１０   本体部
２０   係止部
２１   基部
２２   突出部
３０   ストライカ位置決め部
４０   ロック位置決め部
５０   ガラスハッチ載置部
６０   支持部
７０   センタリング機構
１００ 組付治具
Ｐ     車幅方向中央部
【図１】
0005590714.tif 000002
【図２ａ】
0005590714.tif 000003
【図２ｂ】
0005590714.tif 000004
【図２ｃ】
0005590714.tif 000005
【図２ｄ】
0005590714.tif 000006
【図３ａ】
0005590714.tif 000007
【図３ｂ】
0005590714.tif 000008
【図３ｃ】
0005590714.tif 000009
【図４】
0005590714.tif 000010
【図５】
0005590714.tif 000011